(57)【要約】【課題】落下防止用ワイヤロープの取り付けが容易でコストを低減できる屋外用照明装置を提供する。【解決手段】照明器具２と、この照明器具２が取り付けられる取付ポール５と、前記照明器具２を繋ぎ止める落下防止用のワイヤ８と、このワイヤ８を取り付けるボルト１０とからなり、前記取付ポール５は端部が開口し、前記取付ポール５の上方の端部の開口を覆うとともに前記棒部材が取り付けられるキャップ７が設けられ、ワイヤ８は取付ポール５とキャップ７に取り付けられるようにされている。【選択図】図２
2008027783.tif 000002
【特許請求の範囲】
【請求項１】
照明器具と、該照明器具が取り付けられる取付ポールと、前記照明器具を繋ぎ止める落下防止用のワイヤと、該ワイヤを取り付ける棒部材とを備え、前記取付ポールは端部が開口し、前記取付ポールの上方の端部の開口を覆うとともに前記棒部材が取り付けられる
キャップが設けられてなることを特徴とする屋外用照明装置。
【請求項２】
前記ワイヤは一端にループを有し、前記キャップに突片を設け、前記ワイヤが該突片と前記棒部材に係止されてなることを特徴とする請求項１記載の屋外用照明装置。
【請求項３】
前記ワイヤのループに環状の取付金具が取り付けられ、該取付金具の環を貫通して前記棒部材が前記取付ポールに取り付けられてなることを特徴とする請求項１又は２記載の屋外用照明装置。
【請求項４】
前記取付ポールは、棒部材が貫通する貫通孔を有することを特徴とする請求項１乃至請求項３のいずれかに記載の屋外用照明装置。
【発明の詳細な説明】
【技術分野】
【０００１】
本発明は、屋外用照明装置に関し、特には、落下防止用ワイヤの照明器具を取り付けるポールへの取り付けが容易な屋外用照明装置に関する。
【背景技術】
【０００２】
屋外用照明装置は、専用ポール又は電柱等から側方に延長したアームの先端に照明器具が取り付けられて構成されている。照明器具のアームへの取り付けは、バンドやボルト等の締結手段によって固定した構造となっている。ところが、使用中に締結手段が緩み、照明器具が地上に落下する危険性がある。
【０００３】
このため、道路照明器具の落下を防止する技術として、ポール等のパイプ端部にその内径を横断して溶接固着した軸部と、一端に連結用ボルトの挿通可能な透孔を穿設した取付板を連繋すると共に、該取付板が挿通可能なループ部をワイヤロープとからなる道路照明器具用落下防止装置が知られている（例えば特許文献１参照）。
【０００４】
特許文献１の道路照明器具用落下防止装置は、照明器具を固定するポール等のパイプ端部にその内径を横断して軸部を溶接固着し、この軸部にワイヤロープをそのループ部を利用して通し結びして連繋する。それと共にワイヤロープの取付板をボルトを介して照明器具の一部に締結して繋いでいる。
【特許文献１】実開昭６２−１６９４１１号マイクロフィルム
【発明の開示】
【発明が解決しようとする課題】
【０００５】
特許文献１のものは、パイプ端部にその内径を横断して軸部を溶接固着し、この軸部にワイヤロープをそのループ部を利用し、通し結びして連繋している。そのため、パイプ端部の外にループ部を引き出すことが必要であり、軸部と端部間の距離の約２倍のワイヤロープの長さが必要となり、この部分のポール内への収容が面倒である。また、軸部はポール内の内径を横断して溶接固着するので、その作業が面倒であり、熟練を要する。従って、コストもアップする。
【０００６】
本発明は、上記の課題を解決するためになされたもので、ワイヤロープの取り付けが容易でコストを低減した屋外用照明装置を提供することを目的とする。
【課題を解決するための手段】
【０００７】
上記の目的を達成するために、請求項１記載の発明に係る屋外用照明装置は、照明器具と、該照明器具が取り付けられる取付ポールと、前記照明器具を繋ぎ止める落下防止用のワイヤと、該ワイヤを取り付ける棒部材とからなり、前記取付ポールは端部が開口し、前記取付ポールの上方の端部の開口を覆うとともに前記棒部材が取り付けられるキャップが設けられてなることを特徴とする。
【０００８】
請求項２記載の発明に係る屋外用照明装置は、請求項１記載の発明において、前記ワイヤは一端にループを有し、前記キャップに突片を設け、前記ワイヤが該突片と前記棒部材に係止されてなることを特徴とする。
【０００９】
請求項３記載の発明に係る屋外用照明装置は、請求項１又は２記載の発明において、 前記ワイヤのループに環状の取付金具が取り付けられ、該取付金具の環を貫通して前記棒部材が前記取付ポールに取り付けられてなることを特徴とする。
【００１０】
請求項４記載の発明に係る屋外用照明装置は、請求項１乃至請求項３のいずれかに記載の屋外用照明装置において、前記取付ポールは、棒部材が貫通する貫通孔を有することを特徴とする。
【発明の効果】
【００１１】
請求項１記載の発明によれば、屋外用照明装置は、キャップを取り外してワイヤの端部を取付ポール外へ引き出してそれを見ながらワイヤを棒部材で取付ポールに連繋できる。従って、取付ポール内に内径を横断して軸を溶接しなくてよいと共に、ワイヤの連繋作業も容易であり、ワイヤの長さも取付ポールの長さより少し長い位で足り、コストを低減できる。
【００１２】
請求項２記載の発明によれば、請求項１の効果に加え、ワイヤを突片と棒部材とにより２重に取付ポール部に連繋でき、安全性を高くできる。
【００１３】
請求項３記載の発明によれば、請求項１の効果に加え、一層ワイヤの連繋が容易にできるようになる。
【００１４】
請求項４記載の発明によれば、請求項１の効果に加え、取付ポールでも棒部材を支持するため、安全性を高めることができる。
【発明を実施するための最良の形態】
【００１５】
以下、本発明の実施の形態について、図面を参照して詳しく説明する。図１は本発明の実施の形態における屋外用照明装置の全体の外観構成を示す側面図、図２はその要部の側面側の断面図、図３はその要部の正面側の断面図、図４はその一部の側面側の分解断面図である。
【００１６】
この実施の形態の屋外用照明装置１は、照明器具２と、直立した主柱３と、主柱３から枝分かれした支柱４と、支柱４から垂下した取付ポール５と、支柱４を強化する補強用アーム６とから構成され、照明器具２は取付ポール５に取り付けられ、取付ポール５の上部開口はキャップ７に覆われている。
【００１７】
この実施の形態の照明器具２は、照明器具２を取付ポール５に取り付けるための図示していない器具固定部、図示していない発光灯、発光灯に電気を供給するソケット、発光灯を収容するカバー２１等から構成している。そして、照明器具２は、主柱３の頂部近辺から枝分かれした支柱４及び中間部から枝分かれしたアーム４の取付ポール５にそれぞれ取り付けられている。
【００１８】
主柱３はこの実施の形態では四角管から形成され、内部の空間内に電線が通され、屋外の舗装面等の地面に固定されている。また、照明器具２は、図２から図４に示すように、落下防止用のワイヤ８により取付ポール５部に連繋される。取付ポール５は円管から上部が開口され、下部に照明器具２が取り付けられるように構成されている。そして、取付ポール５の上部に、ワイヤ８を連繋する棒部材であるボルト１０を挿通する貫通孔５ａが、軸心を挟んだ前後の対向面の管壁に設けられている。また、取付ポール５の上部の開口はキャップ７に覆われて閉鎖される。
【００１９】
キャップ７は、例えば、１端が蓋に閉鎖された円管から構成され、取付ポール５の上部に被嵌して取付ポール５の上部開口を閉鎖する。また、キャップ７の管壁にはボルト１０を挿通するボルト貫通孔７ｂが設けられている。さらに、キャップ７の蓋の内面に突片７ａを設け、この突片７ａに下記するワイヤ８に連結した取付金具９を係止する。ワイヤ８は一端に照明器具２が固着され、他端にループ８ａが形成され、このループ８ａに取付金具９が連結されている。この取付金具９によりワイヤ８を取付ポール５に取り付ける。
【００２０】
取付金具９は環状に形成され、端部同士を閉鎖部材９ａで閉鎖することができるようにされている。例えば、一端部に雄ねじが設けられ、他端部に係止部が設けられ、同様に閉鎖部材９ａの一端部の内周にも対応した雌ねじが設けられ、他端部に係止部に係合する係合部が設けられている。
【００２１】
そして、閉鎖部材９ａを回動させて閉鎖部材９ａの一端部をそれぞれ取付金具９の端部に螺着する、一方、係止部と係合部は係合してそれが離間しないようにされている。さらに、取付金具９はワイヤ８のループ８ａに連結されると共にボルト１０を貫通させ、ボルト１０をポールに締結することでワイヤ８をポール５に連繋する。このように構成すると、連繋の作が容易にできると共に、確実に連繋できる。
【００２２】
上記のように構成した照明装置で、照明器具２に落下防止ワイヤを連繋する作業は、先ず、一端にループ８ａを有するワイヤ８、環状の取付金具９、ボルト１０を用意する。次に、照明器具２にワイヤ８のループ８ａのない側を取り付ける。次いで、取付ポール５の空洞内にワイヤ８のループ８ａ側を通して、上部開口からループ８ａ部を引き出す。そして、ループ８ａに取付金具９を連結すると共に、取付金具９をキャップ７の突片７ａに係止してキャップ７に照明器具２を連繋する。
【００２３】
そして、キャップ７で取付ポール５の上部開口を閉鎖し、貫通孔５ａと貫通孔７ｂとを位置合わせする。このとき、取付金具９の環状空間も貫通孔５ａとボルト貫通孔７ｂを結ぶ線上に位置させる。そして、ボルト１０をボルト貫通孔７ｂと貫通孔５ａから取付金具９の環状空間、反対側の貫通孔５ａ、ボルト貫通孔７ｂと挿通し、キャップ７の外部においてナット１１を螺着することによりワイヤ８を取付ポールに固定する。
【００２４】
このように、ワイヤ８をキャップ７の突片７ａで係止すると共に、棒部材であるボルト１０で取付ポール５にも止めるようにすると、２重に連繋するので一層安全性が確保できる。また、ワイヤ８は、取付金具９の径を含めて取付ポール５の長さより少し長い位で足り、短くてよく、それだけ安価にできる。また、ワイヤのリング部又は取付金具を取付ポールの上部に出して、連繋作業ができると共に取付ポール内に収容する長さも短くてよいから、取付作業が容易である。
【００２５】
なお、本願発明は上記実施の形態のものに限られないことは勿論である。例えば、上記実施の形態では、ボルトを取付ポールとキャップの貫通孔の両方に挿通してワイヤを取り付けている例で説明したが、棒部材で取付ポール又はキャップのいずれか一方で取り付けるようにしてもよい。取付ポール又はキャップのいずれか一方で取り付ける場合、キャップはポールに固定する必要があるが、その方法は螺着、ボルト止め等適宜の方法でよい。また、ボルトとキャップとの隙間部はパッキンを使用して水密に取り付けることは勿論である。
【図面の簡単な説明】
【００２６】
【図１】本発明に係る屋外用照明装置の実施の形態の外観構成を示す側面図である。
【図２】その要部の側面側の断面図である。
【図３】その要部の正面側の断面図である。
【図４】その一部を分解して示す側面側の断面図である。
【符号の説明】
【００２７】
１  屋外用照明装置
２  照明器具
３  主柱
４  支柱
５  取付ポール
６  アーム
７  キャップ
７ａ  突片
８  ワイヤ
８ａ  ループ
９  連結金具
１０  ボルト（棒部材）
【図１】
2008027783.tif 000003
【図２】
2008027783.tif 000004
【図３】
2008027783.tif 000005
【図４】
2008027783.tif 000006